(57)【要約】【目的】主な吸収ユニット両側に別個の吸収ユニットを１個または２個配置することによって、横漏れを大幅に防止することができる使い捨て紙おむつを提供するものである。【解決手段】第一吸収体３０とその第一吸収体３０を内部に収容する第一非透液性部材２８とを有する第一吸収ユニット１４を、透液性トップシート２４と非透液性バックシート２６と間に備えた使い捨て紙おむつにおいて、第二吸収体３８とその第二吸収体３８を一面を開口して内部に収容する第二非透液性部材３６とその第二非透液性部材３６の開口部を覆う透液性の第二覆いシート４０から成る第二吸収ユニット１６を第一吸収ユニット１４の両横に配置する。これによって、第一吸収ユニット１４から漏れ出た水分を両横に配置した少なくともいずれかの第二吸収ユニット１６で吸収し、横漏れを防止することができる。【選択図】図２
2009022488.tif 000002
【特許請求の範囲】
【請求項１】
透液性トップシートと、非透液性バックシートと、それら透液性トップシートと非透液性バックシートとの間に備えられるものであって第一吸収体とその第一吸収体を内部に収容する第一非透液性部材とから成る第一吸収ユニットとを有する使い捨て紙おむつにおいて、第二吸収体とその第二吸収体を一面を開口して内部に収容する第二非透液性部材とその第二非透液性部材の開口部を覆う透液性の第二覆いシートから成る第二吸収ユニットを前記第一吸収ユニットの両横に配置し、前記第二非透液性部材を前記バックシートに直接または間接的に固定することを特徴とする使い捨て紙おむつ。
【請求項２】
前記第二覆いシートを前記第一吸収ユニットに対応する位置の前記透液性トップシートに対面させ、前記第二覆いシートに対応する位置の前記第二吸収体の少なくとも一部を前記第一吸収ユニットの高さよりも高くしたことを特徴とする請求項１記載の使い捨て紙おむつ。
【請求項３】
前記第二非透液性部材における前記バックシートに接着しない側面のうち、前記第一吸収ユニットに近い内側側面の高さを前記第一吸収ユニットに遠い外側側面の高さよりも低くしたことを特徴とする請求項２または２記載の使い捨て紙おむつ。
【請求項４】
前記第二非透液性部材における前記第一吸収ユニットに近い内側側面の上端付近か前記第二覆いシートにおける内側側面との取付け箇所かのいずれかと前記透液性トップシートとを接着したことを特徴とする請求項３記載の使い捨て紙おむつ。
【請求項５】
前記第二非透液性部材における前記バックシートに接着しない側面のうち、前記第一吸収ユニットに近い内側側壁を前記第一吸収ユニットの前記第一非透液性部材に接着したことを特徴とする請求項２記載の使い捨て紙おむつ。
【請求項６】
左右一対のバリヤーカフスを備える使い捨て紙おむつにおいて、前記第一吸収ユニットの両横に配置した第二吸収ユニットの外側に、左右一対のバリヤーカフスを配置したことを特徴とする請求項１記載の使い捨て紙おむつ。
【請求項７】
左右一対の第一バリヤーカフスを備え、その第一バリヤーカフスの外側に第二バリヤーカフスを備える使い捨て紙おむつにおいて、前記第一吸収ユニットの両横に配置した第二吸収ユニットの外側に左右一対の前記第一バリヤーカフスを配置し、第一バリヤーカフスと第二バリヤーカフスとの間に第三吸収体とその第三吸収体を一面を開口して内部に収容する第三非透液性部材とその第三非透液性部材の開口部を覆う透液性の第三覆いシートから成る第三吸収ユニットを配置し、前記第三非透液性部材を前記バックシートに直接または間接的に接着固定することを特徴とする請求項１記載の使い捨て紙おむつ。
【請求項８】
装着時に背中側に接触する上部箇所の横幅を装着時に腹側に接触する下部箇所の横幅よりも広くし、前記上部箇所に接着テープを取付け、装着時に前記接着テープが前記下部箇所に接着する位置が、前記下部箇所のほぼ中央位置となるようにしたことを特徴とする請求項１または２記載の使い捨て紙おむつ。
【発明の詳細な説明】
【技術分野】
【０００１】
本発明は、横漏れを防止する使い捨て紙おむつに関するものである。
【背景技術】
【０００２】
従来から、乳幼児や、寝たきりの老人や、一時的に寝たきり状態の病人に、使い捨て紙おむつが使用されている。従来既知の使い捨て紙おむつには、立体ギャザー即ちバリヤーカフス（液体の漏れを防ぐ土手状のもの）無しのものと、立体ギャザー即ち立体バリヤーカフス（液体の漏れを防ぐ土手状のもの）を備えたものがある。バリヤーカフス無しの使い捨て紙おむつは特許文献１に示されており、その立体バリヤーカフス無しの使い捨て紙おむつを図８及び図９について説明する。
【０００３】
バリヤーカフス無しの使い捨て紙おむつ１００は、図８に示すように、本体１０２と、その本体の中央部に備えられる吸収ユニット１０４とから成る。本体１０２は図８に示すように、縦方向が上部１０２ａ（装着時に背中側に接触する箇所）と下部１０２ｂ（装着時に腹側に接触する箇所）と中央部１０２ｃとから成る。本体１０２の縦方向が横方向よりも相対的に長く、上部１０２ａと下部１０２ｂの横幅は中央部１０２ｃの横幅に比べて広くなっている。吸収ユニット１０４は、本体１０２の縦方向に沿った長い形状に設定されている。本体１０２の上部１０２ａの左右に、接着テープ１０６が取付けられている。本体１０２の中央部１０２ｃの両縁付近には、弾性伸縮部材１０８を備えたギャザー１１０が形成されている。
【０００４】
図９に示すように、吸収ユニット１０４は、不織布等から成る透液性トップシート１１２と、非透液性素材から成るバックシート１１４の間に備えられる。吸収ユニット１０４は、ポリエチレン等から成る容器状の非透液性部材１１６と、その非透液性部材１１６の内部に備えられるものであって綿状パルプ等から成る前記吸収体１１８とから成る。
【０００５】
非透液性部材１１６は、吸収ユニット１０４の下面全域と側面全域を覆うと共に、吸収ユニット１０４の上面の外縁付近を覆っている。非透液性部材１１６のうち、吸収ユニット１０４の上面の外縁を覆っている箇所を上面張出し部１２０とすると、上面張出し部１２０の上面または下面と接着する透液性の覆いシート１２２が備えられている。この透液性の覆いシート１２２は、吸収ユニット１０４の上面全体を覆うように配置されている。透液性トップシート１１２とバックシート１１４は、吸収ユニット１０４を挟んで、吸収ユニット１０４の外縁位置より外側に延長しており、弾性伸縮部材１０８を備えたギャザー１１０となっている。
【０００６】
尿等の水分（液体）が透液性トップシート１１２の上にもたらされると、水分は透液性トップシート１１２から透液性覆いシート１２２を経て吸収体１１８に吸収される。吸収体１１８に吸収された水分は非透液性部材１１６に囲まれて、外部に漏れ出ないにようになっている。また、透液性トップシート１１２や透液性覆いシート１２２は一方方向（吸収体１１８側に向けて）に水分を通過させるが、反対方向に通過しない素材を用いている。このため、吸収体１１８側に吸収された水分は、原則的には外部に漏れ出ることは無い。しかし、透液性トップシート１１２や非透液性部材１１６に破損が生じた場合に、横漏れが発生する。この横漏れを防止するものとして、立体ギャザーとしてのバリヤーカフスを備えた使い捨て紙おむつが特許文献２に示されている。
【０００７】
立体バリヤーカフスを備えた使い捨て紙おむつを図１０について説明する。図１０においては、バックシート１１４は、図９と同様に吸収ユニット１０４の外縁位置より外側に充分延長しているが、透液性トップシート１１２は吸収ユニット１０４の外縁位置よりやや外側に延長した状態となっている。透液性トップシート１１２における吸収ユニット１０４の外縁位置よりやや外側に延長した箇所を延長部１２４とすると、その延長部１２４は第一バリヤー部材１２６の延長部１２８とバックシート１１４で挟持された状態で接着固定される。第一バリヤー部材１２６は、延長部１２８と第一バリヤーカフス１３０とから成っている。この第一バリヤーカフス１３０は、使用時に透液性トップシート１１２や吸収ユニット１０４の斜め上方に立脚するものである。
【０００８】
第一バリヤー部材１２６の延長部１２８の先端付近は、第二バリヤー部材１３２の延長部１３４とバックシート１１４で挟持された状態で接着固定される。第二バリヤー部材１３２は、延長部１３４と第二バリヤーカフス１３６とから成っている。この第二バリヤーカフス１３６は、使用時に第一バリヤーカフス１３０の外側に位置し、第一バリヤーカフス１３０とほぼ平行に立脚するものである。第一バリヤーカフス１３０と第二バリヤーカフス１３６との二重のバリヤーカフスは、透液性トップシート１１２や非透液性部材１１６が破損したりした場合に、水が外部へ漏れ出るのを防止するものである。
【０００９】
【特許文献１】特開２０００−２１７８６２
【特許文献２】特開平１１−３４７０６３
【発明の開示】
【発明が解決しようとする課題】
【００１０】
横漏れを防止するものとして、第一バリヤーカフス１３０と第二バリヤーカフス１３６との二重のバリヤーカフスが設けられた使い捨て紙おむつが提供されている。しかし、この第一バリヤーカフス１３０や第二バリヤーカフス１３６は水分が外部に漏れ出るのを防止する堤防のようなものであり、水分を吸収するものではない。このため、二重のバリヤーカフス１３０，１３６を備えた使い捨て紙おむつであっても、寝返りを繰り返したり体を動かしたりすると往々にして横漏れが生じ、必ずしも横漏れを充分に防ぐことができないものであった。
【００１１】
本発明は上記の点に鑑みてなされたものであり、主な吸収ユニット両側に別個の吸収ユニットを１個または２個配置することによって、横漏れを大幅に防止することができる使い捨て紙おむつを提供することを目的とするものである。
【課題を解決するための手段】
【００１２】
本発明の使い捨て紙おむつは、透液性トップシートと、非透液性バックシートと、それら透液性トップシートと非透液性バックシートとの間に備えられるものであって第一吸収体とその第一吸収体を内部に収容する第一非透液性部材とから成る第一吸収ユニットとを有する使い捨て紙おむつにおいて、第二吸収体とその第二吸収体を一面を開口して内部に収容する第二非透液性部材とその第二非透液性部材の開口部を覆う透液性の第二覆いシートから成る第二吸収ユニットを前記第一吸収ユニットの両横に配置し、前記第二非透液性部材を前記バックシートに直接または間接的に固定することを特徴とするものである。本発明は、前記第二覆いシートを前記第一吸収ユニットに対応する位置の前記透液性トップシートに対面させ、前記第二覆いシートに対応する位置の前記第二吸収体の少なくとも一部を前記第一吸収ユニットの高さよりも高くしたことを特徴とするものである。本発明は、前記第二非透液性部材における前記バックシートに接着しない側面のうち、前記第一吸収ユニットに近い内側側面の高さを前記第一吸収ユニットに遠い外側側面の高さよりも低くしたことを特徴とするものである。本発明は、前記第二非透液性部材における前記第一吸収ユニットに近い内側側面の上端付近か前記第二覆いシートにおける内側側面との取付け箇所かのいずれかと前記透液性トップシートとを接着したことを特徴とするものである。本発明は、前記第二非透液性部材における前記バックシートに接着しない側面のうち、前記第一吸収ユニットに近い内側側壁を前記第一吸収ユニットの前記第一非透液性部材に接着したことを特徴とするものである。本発明は、左右一対のバリヤーカフスを備える使い捨て紙おむつにおいて、前記第一吸収ユニットの両横に配置した第二吸収ユニットの外側に、左右一対のバリヤーカフスを配置したことを特徴とするものである。本発明は、左右一対の第一バリヤーカフスを備え、その第一バリヤーカフスの外側に第二バリヤーカフスを備える使い捨て紙おむつにおいて、前記第一吸収ユニットの両横に配置した第二吸収ユニットの外側に左右一対の前記第一バリヤーカフスを配置し、第一バリヤーカフスと第二バリヤーカフスとの間に第三吸収体とその第三吸収体を一面を開口して内部に収容する第三非透液性部材とその第三非透液性部材の開口部を覆う透液性の第三覆いシートから成る第三吸収ユニットを配置し、前記第三非透液性部材を前記バックシートに直接または間接的に接着固定することを特徴とするものである。本発明は、装着時に背中側に接触する上部箇所の横幅を装着時に腹側に接触する下部箇所の横幅よりも広くし、前記上部箇所に接着テープを取付け、装着時に前記接着テープが前記下部箇所に接着する位置が、前記下部箇所のほぼ中央位置となるようにしたことを特徴とするものである。
【発明の効果】
【００１３】
本発明に係る使い捨て紙おむつは、従来の第一吸収ユニットの両側に第二吸収ユニットを備えることで、第一吸収ユニットから水分が漏れ出ることがあっても、第一吸収ユニットの両側に備えた第二吸収ユニットで第一吸収ユニットから漏れ出した水分を吸収するので、従来の使い捨て紙おむつで発生する横漏れを防止することができる。第二吸収ユニットの第二吸収体の一部と第二覆いシートの一部を第一吸収ユニットの高さよりも高くすることによって、体が横方向に寝た状態であっても、第一吸収ユニットから漏れ出した水分を確実に第二吸収ユニットの第二吸収体に吸収することができる。第二非透液性部材におけるバックシートに接着しない壁面のうち、第一吸収ユニットに近い内側側壁の高さを前記第一吸収ユニットに遠い外側側壁の高さよりも低くすることによって、第一吸収ユニットから漏れ出した水分を確実に第二吸収ユニットの第二吸収体に吸収することができる。本発明では、第二非透液性部材における第一吸収ユニットに近い内側側壁の上端付近か第二覆いシートにおける内側側壁との取付け箇所かのいずれかとトップシートとを接着することで、第二吸収ユニットの断面の形を保持することができる。即ち、第二吸収体の一部を第一吸収ユニットより高くした第二吸収体の形を保持することができる。更に、第一吸収ユニットと第二吸収ユニットをこの接着箇所で区画することができ、第二吸収ユニットを完全に第一吸収ユニットと分離でき、第二吸収ユニットを第一吸収ユニットから独立して機能させることができる。本発明では更に、第二非透液性部材における前記バックシートに接着しない壁面のうち、前記第一吸収ユニットに近い内側側壁を前記第一吸収ユニットに接着することで、第二吸収ユニットの断面の形を保持することができる。
【００１４】
左右一対のバリヤーカフスを備える本発明の使い捨て紙おむつにおいては、１個の第一吸収ユニットとその第一吸収ユニットの両横に配置した一対の第二吸収ユニットを備えたものの外側に左右一対の第一バリヤーカフスを備える。これによって、第一吸収ユニットの外側に第二吸収ユニットと第一バリヤーカフスとを備えることになり、横漏れ防止を促進することができる。更に、内側と外側の左右２対のバリヤーカフスを備える使い捨て紙おむつにおいては、１個の第一吸収ユニットとその第一吸収ユニットの両横に配置した一対の第二吸収ユニットを備えたものの外側に左右一対の第一バリヤーカフスを備える。内側の第一バリヤーカフスと外側の第二バリヤーカフスとの間に第三吸収体とその第三吸収体を一面を開口して内部に収容する第三非透液性部材とその第三非透液性部材の開口部を覆う透液性の第三覆いシートから成る第三吸収ユニットを前記第三非透液性部材を前記バックシートに直接または間接的に接着固定する。これによって、第一吸収ユニットの外側に、第二吸収ユニットと第一バリヤーカフスと第三吸収ユニットと第二バリヤーカフスとを備えることになり、横漏れ防止を更に促進することができる。
【発明を実施するための最良の形態】
【００１５】
本発明の使い捨て紙おむつは、主な吸収ユニットの両横に、その吸収ユニットとは別の吸収体を１個または２個設けることによって、横漏れを殆ど生じさせないようにするものである。
【実施例１】
【００１６】
次に、本発明を図面に基づいて説明する。
図１は本発明に係る使い捨て紙おむつの第一実施例を示す正面図、図２は図１のＡ−Ａ線断面図である。図１並びに図２に示す使い捨て紙おむつ１０は、バリヤーカフス無しのものである。図１に示すように、使い捨て紙おむつ１０は、本体１２と、その本体１２の中央部に縦方向に備えられる第一吸収ユニット１４と、その第一吸収ユニット１４の両横に縦方向に備えられる第二吸収ユニット１６とから成る。本体１２は縦方向において、上部箇所１２ａ（装着時に背中側に接触する箇所）と下部箇所１２ｂ（装着時に腹側に接触する箇所）とそれらの中間の中央部１２ｃとから成り、上部箇所１２ａの横幅と下部箇所１２ｂの横幅とが中央部１２ｃの横幅に比べて広い形状となっている。本体１２の中央部１２ｃの左右には、弾性伸縮部材１８を備えたギャザー２０が形成されている。本体１２の上部の左右には、接着テープ２２が取付けられている。
【００１７】
使い捨て紙おむつ１０は、図２に示すように、不織布等から成る透液性トップシート２４と、非透液性素材から成るバックシート２６と、それら透液性トップシート２４と非透液性バックシート２６との間に備えられる第一吸収ユニット１４とを有する。第一吸収ユニット１４は従来からの使い捨て紙おむつに必ず備えられるもので、ポリエチレン等から成る一面を開口する容器形状の第一非透液性部材２８と、その容器形状の非透液性部材２８の内部に備えられる綿状パルプ等から成る第一吸収体３０と、第一非透液性部材２８の開口部に備えられるものであって、第一吸収体３０の上面全体を覆う透液性の第一覆いシート２２とから構成されている。第一覆いシート２２は必ずしも備えられるものではない。
【００１８】
第一非透液性部材２８は、第一吸収体３０の下面全域と側面全域を覆うと共に、第一吸収体３０の上面の外縁付近を覆っている。第一非透液性部材２８の下面全域は、接着剤によってバックシート２６に接着されている。第一非透液性部材２８のうち吸収体３０の上面の外縁を覆っている箇所を上面張出し部３４とすると、第一覆いシート２２は上面張出し部３４の上面または下面と接着して、吸収ユニット１０４の上面全体を第一覆いシート２２で覆っている。
【００１９】
第一吸収ユニット１４の両横に、第二吸収ユニット１６が備えられる。第二吸収ユニット１６は、図１に示すように、第一吸収ユニット１４の縦方向の長さと同じ縦方向の長さとし、その横幅は第一吸収ユニット１４の横幅よりも大幅に狭いものとする。第二吸収ユニット１６は、ポリエチレン等から成る一面を開口する容器形状の第二非透液性部材３６と、その容器形状の非透液性部材３６の内部に備えられる綿状パルプ等から成る第二吸収体３８と、第二吸収体３８の上面全体を覆う透液性の第二覆いシート４０とから構成されている。
【００２０】
第二非透液性部材３６は、第二吸収体３８の下面全域と側面全域を覆ものである。第二非透液性部材３６の下面全域は、接着剤等によってバックシート２６に直接または間接的に接着固定されている。第二非透液性部材３６は、第一吸収ユニット１４に近い側の内側側面４２と、第一吸収ユニット１４とは遠い側の外側側面４４とを有し、それら内側側面４２と外側側面４４とは、バックシート２６に接着しないようにする。外側側面４４の高さは、内側側面４２の高さや第一非透液性部材２８の高さより高くする。容器状の第二非透液性部材３６の内部に第二吸収体３８を充満して、第二非透液性部材３６の内側側面４２の上端と外側側面４４の上端とを第二覆いシート４０で接着する。即ち、容器状の第二非透液性部材３６の開口部を第二覆いシート４０で覆う。これによって、第二吸収体３８の上面４６は、第二覆いシート４０を介して第一吸収ユニット１４側に面し、内側側面４２側から外側側面４４側に向かうに連れて徐々に高くなる傾斜面となる。即ち、第二覆いシート４０は、第一吸収ユニット１４に対応する位置の透液性トップシート２４に対面し、第二覆いシート４０に対応する位置の第二吸収体３８の少なくとも一部は、バックシート２６を下側とした場合に、第一吸収ユニット１４の高さよりも高くする。
【００２１】
外側側面４４の高さを内側側面４２の高さより高くした第二非透液性部材３６の内部に、第二吸収体３８を充満し、第二非透液性部材３６の内側側面４２の上端と外側側面４４の上端とを第二覆いシート４０で接着する。更に、第二非透液性部材３６の下面をバックシート２６に接着する。これによって、第二吸収体３８の上面４６は、第二覆いシート４０を介して第一吸収ユニット１４側に面しており、かつ第二吸収体３８の上面４６は、内側側面４２から外側側面４４に向かうに連れて徐々に高くなる断面四角の形状（図２）を保持することができる。
【００２２】
第二吸収体３８の上面４６が、図２に示すような傾斜面となるように、第二吸収体３８の断面四角の形状を更に確実に確保できる方法を示す。この方法としては、内側側面４２の外面上端と第一非透液性部材２８の外面上端とを接着剤で接着するようにしても良い。この内側側面４２のと第一非透液性部材２８との接着によって、断面四角形状の第二吸収体３８が外側に変形して倒れるのを防止することができる。第二吸収体３８の上面４６が、図２に示すような傾斜面となる断面四角の形状を更に強固に保持するもう一つの方法としては、内側側面４２の外面上端または内側側面４２の上端に近い位置の第二覆いシート４０と透液性トップシート２４とを接着するようにしても良い。これは、透液性トップシート２４は、第一吸収ユニット１４の上部に引っ張った（緊張した）状態で覆うように設定してあるので、透液性トップシート２４と接着する第二吸収体３８の内側側面４２か第二覆いシート４０は固定位置となる。即ち、透液性トップシート２４と接着する第二吸収体３８の内側側面４２か第二覆いシート４０は、透液性トップシート２４を外側に引っ張ることができず、断面四角形状の第二吸収体３８が外側に変形して倒れるのを防止することができる。
【００２３】
以上のように構成した第一実施例の発明は、第一吸収ユニット１４の両横に、第二吸収体３８と、第二吸収体３８を内部に備えた第二非透液性部材３６とを有する第二吸収ユニット１６を備えるものである。従って、第一吸収ユニット１４に対応する位置の透液性トップシート２４や、第一吸収ユニット１４の第一非透液性部材１６等が破損して、第一吸収体３０に吸収していた水分が横方向に流れ出した場合に、第一吸収ユニット１４の両横に備えた第二吸収ユニット１６で水分を吸収する。ここで、第二吸収ユニット１６の第二吸収体３８の上面４６は、第一吸収ユニット１４の第一非透液性部材２８の高さや、第一吸収体３０の高さや、第一吸収ユニット１４に対応する位置の透液性トップシート２４の高さよりも高くしてあるので、着用している人が寝返りを打った場合（図２において、使い捨て紙おむつ１０が左側に９０度立ちあがった場合）等でも、第一吸収ユニット１４から漏れた水分を第二吸収ユニット１６の第二吸収体３８で確実に吸収することができる。なお、この第二吸収ユニット１６の横幅は第一吸収ユニット１４よりも短いが、この第二吸収ユニット１６の縦方向の長さは第一吸収ユニット１４と同じ長さであり、第一吸収ユニット１４からの横漏れした水分を吸収する分には充分である。
【００２４】
図３に第二吸収ユニットの他の形状を示す。図３に示す第二吸収ユニット４８では、第二非透液性部材５０の内側側面５２と外側側面５４との高さを同じとし、容器状の第二非透液性部材５０の内部に第二吸収体３８を充填させる。そして、第二吸収体３８の上面５６を山形状に形成し、第二吸収体３８の上面５６を第二覆いシート４０で覆い、第二覆いシート４０の両側を内側側面５２の上端と外側側面５４に接着させる。これによって、第二吸収体３８の上面５６を山形状に形成し、その山形の第二吸収体３８の上端を内側側面５２の上端や外側側面５４の上端より高くした形状を保つことができる。この山形の第二吸収体３８の上面５６の上端は、バックシート２６を下面とした場合に、第一吸収ユニット１４の第一非透液性部材２８の高さや、第一吸収体３０の高さや、第一吸収ユニット１４に対応する位置の透液性トップシート２４の高さよりも高くする。この結果、第一吸収ユニット１４に対応する位置の透液性トップシート２４や、第一吸収ユニット１４の第一非透液性部材１６等が破損して、第一吸収体３０に吸収していた水分が横方向に流れ出した場合で、使い捨て紙おむつ１０を使用している人が寝返りをしても、第一吸収ユニット１４の両横に備えた第二吸収ユニット４８の第二吸収体３８で水分を吸収し、横漏れを防止することができる。
【００２５】
図１に示すように、本体１２の上部箇所１２ａの横幅を下部箇所１２ｂの横幅より広くする。これによって、図４に示すように、使い捨て紙おむつ１０を組み立てた（装着した）際に、本体１２の上部箇所１２ａの接着テープ２２を本体１２の下部箇所１２ｂの中央に貼ることができる。接着テープ２２を本体１２の下部箇所１２ｂの中央（体の前面の中央）に貼ることができるので、接着テープ２２の着脱が容易である。
【実施例２】
【００２６】
次に、バリヤーカフスを備えた使い捨て紙おむつについて説明する。図５は本発明に係る使い捨て紙おむつの第二実施例を示す部分正面図、図６は図５のＢ−Ｂ線断面図である。図５及び図６において図１及び図２と同一参照番号は同一部材とする。第二実施例のバリヤーカフスを備えた使い捨て紙おむつ６０においては、第一実施例のバリヤーカフスを備えない使い捨て紙おむつ１０と同様に、その第一吸収ユニット１４の両横に第二吸収ユニット１６を備える。第一吸収ユニット１４と第二吸収ユニット１６とを覆った透液性トップシート２４は、第二吸収ユニット１６の外側側面４４を覆って（外側側面４４と接着させても良い）バックシート２６に接触し、その接触した位置で、透液性トップシート２４とバックシート２６とを接着する。
【００２７】
透液性トップシート２４をバックシート２６に接着した箇所に、第一バリヤー部材６２が接着固定される。第一バリヤー部材６２は、バックシート２６に透液性トップシート２４を接着固定した箇所に接着固定するための延長部６４と、使用時に透液性トップシート２４や第二吸収ユニット１６の斜め上方に立脚する立体ギャザー即ち第一バリヤーカフス６６とを有する。バックシート２６と第一バリヤー部材６２の延長部６４との間に弾性伸縮部材１８を挟んで、バックシート２６と第一バリヤー部材６２の延長部６４とを接着固定すると共に縫製する。弾性伸縮部材１８を挟んでバックシート２６と第一バリヤー部材６２の延長部６４とを接着固定すると共に縫製した箇所は、ギャザー２０となる。
【００２８】
第二吸収ユニット１６においては、第二覆いシート４０で覆われている第二吸収体３８の上面４６の一部は、第一吸収ユニット１４の第一非透液性部材２８の高さや、第一吸収体３０の高さや、第一吸収ユニット１４に対応する位置の透液性トップシート２４の高さよりも高くする。第二吸収ユニット１６の第二吸収体３８の上面４６は、第一吸収ユニット１４の第一非透液性部材２８の高さや、第一吸収体３０の高さや、第一吸収ユニット１４に対応する位置の透液性トップシート２４の高さよりも高くしてあるので、着用している人が寝返りを打った場合等でも、第一吸収ユニット１４から漏れた水分を第二吸収ユニット１６の第二吸収体３８で確実に吸収することができる。この第二実施例では、第二吸収ユニット１６と第一バリヤーカフス６６とで横漏れの防止効果をより高めることができる。なお、第二吸収ユニット１６は、第一バリヤーカフス６６に固定するものではない。第一バリヤーカフス６６は伸縮するギャザーであるので、第二吸収ユニット１６を第一バリヤーカフス６６に固定した場合、第一バリヤーカフス６６の伸縮ができなくなり、バリヤーカフスによる漏れ防止の効果が無くなる。
【実施例３】
【００２９】
次に、立体バリヤーカフスを備えた使い捨て紙おむつの他の実施例について説明する。図７は本発明に係る使い捨て紙おむつの第三実施例を示す要部断面図である。図７において図５及び図６と同一参照番号は同一部材とする。第二実施例の使い捨て紙おむつ６０では左右に一対の第一バリヤーカフス６６を備えたが、この第三実施例に示す使い捨て紙おむつ７０では、左右に二対のバリヤーカフスを備えるものである。第三実施例に示す使い捨て紙おむつ７０が第二実施例の使い捨て紙おむつ６０と異なる点は、第一バリヤー部材６２の外側に第二バリヤー部材７２を設けた点である。第二バリヤー部材７２は、第一バリヤー部材６２の延長部６４をバックシート２６に接着した箇所に接着固定するための第二延長部７４と、使用時に前記第一バリヤーカフス６６とほぼ平行に斜め上方に立脚する第二バリヤーカフス７６とを有する。バックシート２６と第二バリヤー部材７２の延長部７４との間に弾性伸縮部材１８を挟んで、バックシート２６と第二バリヤー部材７２の延長部７４とを接着固定する共に、図示しない糸で縫製する。弾性伸縮部材１８を挟んでバックシート２６と第二バリヤー部材７２の延長部７４とを接着固定すると共に縫製した箇所は、ギャザー２０となる。
【００３０】
第一バリヤーカフス６６と第二バリヤーカフス７６との間の空間に、第三吸収ユニット７８を備える。第三吸収ユニット７８は、ポリエチレン等から成る容器形状の第三非透液性部材８０と、その容器形状の非透液性部材８０の内部に備えられる綿状パルプ等から成る第三吸収体８２と、第三吸収体８２の上面を覆うように第三非透液性部材８０の上部に接着される第三覆いシート８４とから構成されている。容器形状の第三非透液性部材８０の底面を第一バリヤー部材６２の延長部６４に接着固定することによって、第三吸収ユニット７８が第一バリヤーカフス６６と第二バリヤーカフス７６との間に備えられる。第三吸収ユニット７８の第三吸収体８４の高さは特に特定されるものではない。なお、第三吸収ユニット７８は、第一バリヤーカフス６６にも第二バリヤーカフス７６にも固定するものではない。第一バリヤーカフス６６も第二バリヤーカフス７６も伸縮するギャザーであるので、第三吸収ユニット７８を第一バリヤーカフス６６や第二バリヤーカフス７６に固定した場合、第一バリヤーカフス６６や第二バリヤーカフス７６の伸縮ができなくなり、バリヤーカフスによる漏れ防止の効果が無くなる。
【００３１】
前記第二実施例では、第一実施例に示した第二吸収ユニット１６の外側に第一バリヤーカフス６６を備えて、第二吸収ユニット１６から横漏れする水分を第一バリヤーカフス６６で防止をしていた。これに対して、この第三実施例では、第一バリヤーカフス６６を越えて横漏れする水分を第三吸収ユニット７８で吸収するものであり、更に横漏れするおそれのある水分を第二バリヤーカフス７６で防ぐものである。この結果、第三実施例では、第一吸収ユニット１４から漏れる水分を、第二吸収ユニット１６、第一バリヤーカフス６６、第三吸収ユニット７８、第二バリヤーカフス７６で防止するので、横漏れの防止効果を更に促進することができる。
【図面の簡単な説明】
【００３２】
【図１】本発明に係る使い捨て紙おむつの正面図である。
【図２】図１のＡ−Ａ線断面図である。
【図３】本発明に使用する他の第二吸収ユニットを示す断面図である。
【図４】図１の使い捨て紙おむつの組み立て状態を示す斜視図である。
【図５】本発明の他の実施例を示す部分平面図である。
【図６】図５のＢ−Ｂ線断面図である。
【図７】本発明のその他の実施例を示す部分平面図である。
【図８】従来の使い捨て紙おむつの正面図である。
【図９】図８に示す使い捨て紙おむつの要部断面図である。
【図１０】従来の他の種類の使い捨て紙おむつの要部断面図である。
【符号の説明】
【００３３】
１０  使い捨て紙おむつ
１２ａ  上部箇所
１２ｂ  下部箇所
１４  第一吸収ユニット
１６  第二吸収ユニット
２４  透液性トップシート
２６  バックシート
２８  第一非透液性部材
３０  第一吸収体
３２  第一覆いシート
３６  第二非透液性部材
３８  第二吸収体
４０  第二覆いシート
４２  内側側面
４４  外側側面
４６  上面
４８  第二吸収ユニット
５０  第二非透液性部材
６０  使い捨て紙おむつ
６６  第一バリヤーカフス
７０  使い捨て紙おむつ
７６  第二バリヤーカフス
７８  第三吸収ユニット
８０  第三非透液性部材
８２  第三吸収体
８４  第三覆いシート
【図１】
2009022488.tif 000003
【図２】
2009022488.tif 000004
【図３】
2009022488.tif 000005
【図４】
2009022488.tif 000006
【図５】
2009022488.tif 000007
【図６】
2009022488.tif 000008
【図７】
2009022488.tif 000009
【図８】
2009022488.tif 000010
【図９】
2009022488.tif 000011
【図１０】
2009022488.tif 000012